(57)【要約】【課題】ホルダーを安価に製造でき、出荷時に嵩張らず風船を傷つけるおそれがなく、販売時の手間がきわめて容易で使用時の強度も優れた風船用ホルダーを提供する。【解決手段】シートＳに形成された逆三角形状を成す複数枚の支持片２を折りたたみ、支持片２が連続するホルダー１を設ける。各支持片２で囲まれて略漏斗状を成したホルダー１下端部に挿通孔３を開穿し、該挿通孔３に前記保持棒２０をスライド自在に挿入する。ホルダー１は、一対の支持片２が対向するように設けられ、該支持片２は出荷時に前記保持棒２０を挿通した状態で重ねられ、使用時に略漏斗状に広げて前記風船１０を保持するように設ける。【選択図】図１
2006218165.tif 000002
【特許請求の範囲】
【請求項１】
注入口に逆止弁を設けた風船と、該風船の注入口に連結して空気を注入するストロー状の保持棒とを設け、該保持棒の連結部分を被覆して風船の注入口周囲を保持する断面略漏斗状を成したホルダーにおいて、
該ホルダーは、シートに形成した逆三角形状を成す複数の支持片を折りたたむことで形成され、該支持片で囲まれた断面略漏斗状を成すと共に、該ホルダー下端部に挿通孔を設け、該挿通孔に前記保持棒をスライド自在に挿入したことを特徴とする風船用ホルダー。  
【請求項２】
前記ホルダーは一対の前記支持片が対向するように設けられ、該支持片は出荷時において挿通孔に挿通した前記保持棒と共に重ねられ、使用時に略漏斗状に広げて前記風船を保持するように設けられた請求項１記載の風船用ホルダー。  
【請求項３】
前記ホルダーは、前記支持片が３面連続する略三角錐状になるように設けられた請求項１記載の風船用ホルダー。  
【請求項４】
前記ホルダーは合成樹脂製又は紙製のシートを折りたたんで形成され、前記風船は合成樹脂製又はゴム製の風船を用いた請求項１乃至３いずれか記載の風船用ホルダー。
【発明の詳細な説明】
【技術分野】
【０００１】
本発明は、注入口の内部に逆止弁を設けた風船と、該風船の注入口に空気を注入するように連結されたストロー状の保持棒との連結部分に装着する風船用ホルダーに関する。
【背景技術】
【０００２】
特許文献１に、風船の注入口に逆止弁を設け、該風船の注入口に空気注入用ストローを連結した風船装置が記載されている。この風船装置は、ストローから風船に空気を注入すると共に、このストローを風船の保持棒として用いるものである。この保持棒は、風船の注入口に差し込んだ状態でテープ等にて連結され、この連結部を保持部（以下、ホルダーと称する）が被覆している。このホルダーは、注入口と保持棒との離脱を防止し、膨らませた風船を保持棒の先で安定させるために用いるもので、注入口から風船の膨らんだ部分にかけて保持するように断面略漏斗状を成している。
【０００３】
特許文献２は、前記特許文献１のホルダーと保持棒とを改良したものである。すなわち、文献１のホルダーや保持棒に代わる留め具を設けることで、風船と分離した状態で出荷できるようにしたフィルム風船に関するものである。
【０００４】
特許文献３には、ホルダーを安価に提供できるようにした風船ホルダが記載されている。このホルダでは、従来のプラスチック製のホルダーを紙製にすると共に、略漏斗状のホルダーをスティック状に形成することで、ホルダーの製造価格を安価にしたものである。
【０００５】
【特許文献１】実開昭６４−３６９８号公報
【特許文献２】特開平９−２８５６４８号公報
【特許文献３】特開２００２−１４３５７１号公報
【発明の開示】
【発明が解決しようとする課題】
【０００６】
特許文献１の風船装置では、略漏斗状のホルダーをプラスチックで成形しているので、このホルダーの製造価格が他の部材と比較して著しく高くなる不都合があった。このような風船玩具を扱う業界では、玩具として如何に安価な提供ができるかを最重要課題としており、一部の部材にすぎないホルダーの価格が風船玩具全体の価格を大きく引き上げている状況が重大な課題になっていた。
【０００７】
しかも、この略漏斗状のホルダーと風船とを連結して出荷する場合、極めて薄く折り畳まれる風船１０や細い保持棒２０に比べて、漏斗状のホルダー１００が大きく嵩張るものであった（図８参照）。このように、嵩張るホルダー１００によって、一度に出荷できる数が制限されるので、更に価格に反映する不都合がある。また、風船１０と共に包装するホルダー１００の梱包に注意を払わなければ、大きく張り出た漏斗状のホルダー１００が風船１０に接触して傷付けるおそれもあるので、梱包作業に十分な注意が必要になるなど、出荷時の手間も多くなっていた。
【０００８】
ところが、特許文献２のように、出荷時に、風船のみを分離した状態にすると、販売時において、風船を膨らませた後、保持棒に留め具で固定するといった面倒な作業が必要になる。この種の風船玩具は、展示するだけでも多数の商品を並べる必要があるので、できるだけ簡単な作業で販売できるのが望ましい。したがって、特許文献２のように、販売時に風船を固定するといった作業は、既に保持棒に連結されている風船を販売する作業に比べて頗る面倒な作業にならざるを得ない。
【０００９】
一方、特許文献３では、プラスチック製のホルダーを紙製にすることで、風船玩具を安価に提供できるようにしたものである。ところが、特許文献３においても、販売時に膨らませた風船を紙製のホルダーに連結する作業が必要になるので、前記特許文献２と同様に、販売時に多くの手間を要するものである。また、紙製のホルダーは強度的にも問題があり、ホルダーに保持している風船が何度も揺れ動くと、ホルダーの保持力が次第に低下して風船を十分に保持できなくなるおそれがあった。このように、ホルダーの保持力が低下すると、風船と保持棒との連結部分に直接負荷がかかり、保持棒から風船が離脱し易くなる。
【００１０】
このように、従来の風船玩具に用いるホルダーでは、前述した製造価格、出荷時の梱包作業、販売時の手間および使用時の強度などについての各課題を全て同時に解決できるものはなかった。そこで、本発明は上述の課題を解決すべく創出されたもので、ホルダーを安価に製造でき、出荷時に嵩張らず風船を傷つけるおそれもなく、販売時の手間がきわめて容易で使用時の強度にも優れた風船用ホルダーの提供を目的とするものである。
【課題を解決するための手段】
【００１１】
本発明の第１の手段は、注入口１１に逆止弁１２を設けた風船１０と、該風船１０の注入口１１に連結して空気を注入するストロー状の保持棒２０とを設け、該保持棒２０の連結部分を被覆して風船１０の注入口１１周囲を保持する断面略漏斗状を成したホルダー１において、該ホルダー1は、シートＳに形成した逆三角形状を成す複数の支持片２が折りたたむことで形成され、該支持片２で囲まれた断面略漏斗状を成すと共に、該ホルダー１下端部に挿通孔３を設け、該挿通孔３に前記保持棒２０をスライド自在に挿入したことにある。
【００１２】
第２の手段における前記ホルダー１は、一対の前記支持片２が対向するように設けられ、該支持片２は出荷時において挿通孔３に挿通した前記保持棒２０と共に重ねられ、使用時に略漏斗状に広げて前記風船１０を保持するように設けられている。
【００１３】
第３の手段の前記ホルダー１は、前記支持片２が３面連続する略三角錐状になるように設けられたものである。
【００１４】
第４の手段において、前記ホルダー１は合成樹脂製又は紙製のシートＳを折りたたんで形成され、前記風船１０は合成樹脂製又はゴム製の風船１０を用いたことを課題解消のための手段とする。
【発明の効果】
【００１５】
本発明の請求項１により、シートＳを折りたたんで形成されたホルダー１により、極めて安価な提供が可能になり、従来のようにホルダー１の製造価格が風船玩具の価格を吊り上げるといった不都合は解消された。また、ホルダー１は、風船１０の注入口１１に連結した保持棒２０をホルダー１の挿通孔３に差し込むだけで装着できるので、販売時に保持棒に連結する他の風船玩具に比べて、販売時の手間を極力少なくすることができる。しかも、ホルダー１は、逆三角形状を成す複数枚の支持片２が連続して略漏斗状を成しているので、高い支持強度が得られ、仮に手荒に扱われたとしても、風船１０を長時間しっかりと保持することができる。
【００１６】
請求項２により、一対の前記支持片２が対向するように設けられ、該支持片２は出荷時に前記保持棒２０を挿通した状態で重ねられ、使用時に略漏斗状に広げて前記風船１０を保持するように設けたことで、ホルダー１を組み合わせた状態で出荷する場合でも、ホルダー１が嵩張る不都合が解消された。しかも、出荷時に折り重ねられたホルダー１は、風船１０を傷付けるおそれも極めて少なくなっているので、従来のように、風船やホルダーの梱包時に多くの注意を払う必要もなく、出荷時の手間も省くことができる。
【００１７】
請求項３では、支持片２が３面連続する略三角錐状になるように設けたことで、特に、強度に優れると共に、ホルダー１の各支持片２に宣伝広告等を表示できるなど、ホルダー１を有効利用することが可能になる。また、ホルダー１と風船１０とを別々に梱包することも可能である。この場合、販売時において、ホルダー１の挿通孔３に保持棒２０を挿通させるのみの作業でよいから、販売時の省力化を図ることができる。
【００１８】
請求項４により、合成樹脂製又は紙製のシートＳから極めて多彩なホルダー１を設けることが可能になる。しかも、合成樹脂製又はゴム製の風船１０など、多くの風船１０に装着することができる。
【００１９】
このように本発明によると、ホルダーを安価に製造でき、梱包時に風船を傷つけるおそれもなく、販売時の手間がきわめて容易で使用時の強度も優れた風船用ホルダーを提供できるなどといった有益な種々の効果を奏するものである。
【発明を実施するための最良の形態】
【００２０】
本発明の最良の形態は、シートＳに形成された逆三角形状を成す複数枚の支持片２を折りたたみ、該支持片２の側縁２Ａを介して連続するホルダー１を設ける。各支持片２で囲まれて略漏斗状を成したホルダー１下端部に挿通孔３を設け、該挿通孔３に保持棒２０をスライド自在に挿入する。ホルダー１は、一対の支持片２が対向するように設けられる。該支持片２は出荷時において挿通孔３に挿通した保持棒２０に重ねられ、使用時に略漏斗状に広げて前記風船１０を保持するように設けることで、当初の目的を達成するものである。
【実施例】
【００２１】
本発明ホルダー１は、注入口１１に逆止弁１２を設けた風船１０と、該風船１０の注入口１１に連結したストロー状の保持棒２０との連結部分に装着するものである（図１参照）。図示の風船１０は、合成樹脂製フィルムを張り合わせて形成した風船１０を示しているが、この他ゴム製の風船１０でもよく、注入口１１に逆止弁１２を装着した風船１０を使用するものであれば、材質、形状、共に任意の変更が可能である。
【００２２】
逆止弁１２は、注入口１１の内部に装着されるもので、図示では、合成樹脂製製の風船１０に装着するシート状の逆止弁１２を設け、この逆止弁１２を注入口１１の内部奥に装着している（図６参照）。また、ゴム製の風船１０には他の逆止弁１２を用いるなど、逆止弁１２の形状や材質は任意に変更できるものである。
【００２３】
一方、保持棒２０は、ストロー状をなし、注入口１１に空気を注入できるように、予め注入口１１に連結されている（図６参照）。図示例では、注入口１１に保持棒２０の先端を差込み、テープ１３等で固定しているが、この連結手段の変更も任意に行える。
【００２４】
ホルダー1は、合成樹脂製又は紙製のシートＳを折りたたんで設けられるものである。すなわち、このシートＳには、逆三角形状を成す複数枚の支持片２が形成されている（図２、図４参照）。各支持片２は、側縁２Ａを介して連続するように形成され、各支持片２で略漏斗状を成すように屈曲し固定することでホルダー１を構成する（図３、図５参照）。そして、この漏斗状のホルダー１下端部に挿通孔３を設け、該挿通孔３に前記保持棒２０をスライド自在に挿入し、この保持棒２０に沿ってホルダー１をスライドさせる。このホルダー１によって保持棒２０の連結部分を被覆すると共に、ホルダー１の広がった上端部で風船１０の注入口１１周囲を保持するものである（図１参照）。このとき、保持棒２０を挿入する挿通孔３は、できるだけ窮屈な挿通孔３とし、保持棒２０を強制的にスライドさせるように設けることで、この保持棒２０を支えとするホルダー１にて風船１０を強固に保持することができる。ホルダー１の装着は、販売時でも容易に行えるが、出荷時に予め装着しておくことも可能である。
【００２５】
図３に示すホルダー１は、一対の支持片２が対向するように設けられている。このホルダー１は、図２に示す展開図を有するシートＳを折りたたんで形成する。このシートＳは、逆三角形状を成す４個の支持片２a〜２dが連続するように形成されている。各支持片２a〜２dは、側縁２Ａを介して連続し、折りたたんだ際に、ホルダー１の下端部に挿通孔３が設けられるように、各支持片２a〜２dの頂部に切欠部２Ｃを形成している。そして、各側縁２Ａに沿って支持片２aを支持片２bに折り重ね、更に支持片２ｃと支持片２dとに順に折り重ねていくことで、二重になった一対の支持片２が対向するホルダー１が形成される（図３（イ）参照）。更に、支持片２ｃと支持片２dとの各上側縁２Ｂを介して延長され、支持片２と同形状の折込片４をホルダー１の内側に折り込むと、夫々二重になった支持片２を更に三重にして固定し、扁平な略漏斗状のホルダー１を形成する（図３（ロ）参照）。また、折込片４を形成せずに、重ねた支持片２を、接着手段や止着手段等によって固定し、略漏斗状のホルダー１を設けることも可能である。このような一対の支持片２が対向するホルダー１によると、図７に示す如く、出荷時に保持棒２０を挿通した状態で支持片２を重ねて収納し、使用時に略漏斗状に広げて前記風船１０を保持することが可能になる。このとき、合成樹脂製のホルダー１を使用することで、ホルダー１の強度をより高めることができる。
【００２６】
折込片４は、各支持片２を固定する機能の外に、各支持片２の開口した上端縁、すなわち風船１０に接触するがわの上側縁２Ｂをこの折込片４で覆って滑らかにする効果もある。たとえば、合成樹脂製のシートＳを打ち抜き成形した際に、上側縁２Ｂの切り口が鋭利になっていても、折込片４で被覆することで風船１０を傷付けるおそれはなくなる。更に、折込片４をホルダー１の内側に折り込むと、折込片４の下端部が保持棒２０に接触して窮屈な挿通孔３が設けられ、挿通孔３に挿通する保持棒２０をしっかりと挟持することができる。このとき、折込片４は、保持棒２０に対して傾斜して接するので、折込片４を楔のように作用せしめると、風船１０にホルダー１を近づける場合はスライドが容易になり、風船１０から遠ざかるようにする場合は、スライドがきつくなるように設けることも可能である。このように、折込片４を用いることで、特にテープ１３等でホルダー１を固定しなくても、風船１０を確実に保持することが可能になるものである。
【００２７】
図５に示すホルダー１は、前記支持片２が３面連続して略三角錐状になるように設けられている。このホルダー１は、図４に示すシートＳを折りたたんで形成する。すなわち、このシートＳは、前述の図２に示すシートＳの構成とほぼ同じであるが、５個の支持片２と３個の折込片４とを設けている構成などが相違している。そして、支持片２aを支持片２dに折り重ね、支持片２bを支持片２eに折り重ねることで、図５（イ）に示す略三角錐状のホルダー１が形成される。更に、支持片２ｃ、支持片２d、支持片２eの各上側縁２Ｂを介して延長された折込片４を、ホルダー１の内側に折り込むことで、３面の各支持片２を固定してホルダー１を形成するものである（図５（ロ）  参照）。このような三角錐状のホルダー１によると、強度に優れると共に、ホルダー１の各支持片２に宣伝広告等を有効に表示することができる。
【００２８】
尚、本発明における図示例の各構成は、本発明の一実施例に過ぎず、シートＳの展開図を変更し、支持片２の数を増加して更に多面状のホルダー１を構成することも可能である。更に、各構成部材の形状、寸法等の設計変更、形態の変更など、現在知られている技術を用いて、本発明の要旨を変更しない範囲で自由に変更することができるものである。
【図面の簡単な説明】
【００２９】
【図１】本発明の一実施例を示す正面図である。
【図２】本発明シートの一実施例を示す平面図である。
【図３】本発明ホルダーの一実施例を示し、（イ）は組み立て前、（ロ）は組み立て後の斜視図である。
【図４】本発明シートの他の実施例を示す平面図である。
【図５】本発明ホルダーの一実施例を示し、（イ）は組み立て前、（ロ）は組み立て後の斜視図である。
【図６】本発明の逆止弁の一実施例を示す一部切り欠き正面図である。
【図７】図３に示すホルダーを保持棒と一体に収納した状態を示す側面図である。
【図８】従来のホルダーを保持棒と一体に収納した状態を示す側面図である。
【符号の説明】
【００３０】
Ｓ  シート
１  ホルダー
２  支持片      ２Ａ  側縁
２Ｂ  上側縁
２Ｃ  切欠部
３  挿通孔
４  折込片
１０  風船
１１  注入口
１２  逆止弁
１３  テープ
２０  保持棒
１００  ホルダー
【図１】
2006218165.tif 000003
【図２】
2006218165.tif 000004
【図３】
2006218165.tif 000005
【図４】
2006218165.tif 000006
【図５】
2006218165.tif 000007
【図６】
2006218165.tif 000008
【図７】
2006218165.tif 000009
【図８】
2006218165.tif 000010